(57)【要約】【課題】生ごみを、別の容器に移し替えることなく生ごみ袋のまま乾燥処理し、そのまま廃棄することができ、さらに、乾燥性能を向上させることを目的とする。【解決手段】歳差運動する支持板１５によって可撓性材料から作られた生ごみ袋３を支持し、変位自在な掛止部材５によってその袋口４を支持させる構成とした。従って、袋口４から生ごみ袋３内に送風し、支持板１５の歳差運動によって生ごみを攪拌することで、乾燥処理性能を向上することができる。また処理後の廃棄は生ごみ袋ごと衛生的に行えるものである。【選択図】  図１
2004230323.tif 000002
【特許請求の範囲】
【請求項１】
可撓性を有する生ごみ袋を収納する生ごみ乾燥部と、前記生ごみ袋の内部に送風する送風手段と、前記生ごみ乾燥部及び生ごみ袋の袋口を開閉する開閉部とを具備し、前記生ごみ袋は歳差運動をする支持板上に支持させた生ごみ乾燥処理機。
【請求項２】
支持板は、回転軸に対し非直交状態で取り付けた請求項１記載の生ごみ乾燥処理機。
【請求項３】
生ごみ袋の滑りを促進する為の表面処理を支持板に施した請求項１または２記載の生ごみ乾燥処理機。
【請求項４】
支持板の上面に凹凸を設けた請求項１〜３のいずれか１項記載の生ごみ乾燥処理機。
【請求項５】
可撓性を有する生ごみ袋を収納する生ごみ乾燥部と、前記生ごみ袋の内部に送風する送風手段と、前記生ごみ乾燥部および生ごみ袋の袋口を開閉する開閉部とを具備し、前記生ごみ袋はポンプ手段を介して空気が出し入れされて伸縮運動を行う蛇腹で支持した生ごみ乾燥処理機。
【請求項６】
乾燥部に掛止部材を介して生ごみ袋の袋口を着脱自在に取付けた請求項１または５記載の生ごみ乾燥処理機。
【請求項７】
掛止部材が変位自在に構成された請求項１または５記載の生ごみ乾燥処理機。
【請求項８】
掛止部材を弾性体で保持した請求項７記載の生ごみ乾燥処理機。
【請求項９】
掛止部材を弾性材で形成した請求項７記載の生ごみ乾燥処理機。
【請求項１０】
送風手段の送風経路に加熱ヒータを設置した請求項１または５記載の生ごみ乾燥処理機。
【請求項１１】
生ごみ袋内を中心から外周へ空気を流動させるようにした請求項１または５記載の生ごみ乾燥処理機。
【請求項１２】
生ごみ乾燥部を着脱自在に構成した請求項１または５記載の生ごみ乾燥処理機。
【発明の詳細な説明】
【０００１】
【発明の属する技術分野】
本発明は、一般家庭や業務用として使用される、生ごみを乾燥処理することによって生ごみを減量化する生ごみ乾燥処理機に関するものである。
【０００２】
【従来の技術】
生ごみを乾燥させて減量化する従来の生ごみ乾燥処理機は、生ごみ収納容器内に直接生ごみを投入し、容器上方部に設けた加熱手段によって容器内の生ごみを加温し、水分を蒸発させ、その水分を送風手段によって容器外に放出する構成を採っていた（例えば、特許文献１参照）。
【０００３】
【特許文献１】
特開平６−２６１２６４号公報（第３頁、図１、図６）
【０００４】
【発明が解決しようとする課題】
しかし、上記のような従来の生ごみ乾燥処理機では、容器内に直接生ごみを投入する為、作業者の手や周囲を汚し、不衛生な上、元々置かれていた生ごみを生ごみ乾燥処理機に移し替え、更に乾燥処理終了後は廃棄のため別の容器または袋に移し替える手間がかかる、等の問題を有していた。
【０００５】
一方、袋のまま生ごみ乾燥処理機に投入して乾燥処理を行うという従来例もあったが、袋の中の生ごみの隅々までまんべんなく送風をいきわたらせることが困難で局部的な乾燥処理となってしまい、全体的に確実な乾燥ができないという問題を有していた。
【０００６】
本発明はこのような従来の課題を解決するものであり、生ごみを減量化し、清潔で便宜性に優れた生ごみ乾燥処理機を提供することを目的とする。
【０００７】
【課題を解決する為の手段】
本発明は、可撓性を有する生ごみ袋を収納する生ごみ乾燥部と前記生ごみ袋の内部に送風する送風手段と前記生ごみ乾燥部及び生ごみ袋の袋口を開閉する開閉部とを具備し、前記生ごみ袋は歳差運動をする支持板上に支持させた構成となっている。
【０００８】
従って、生ごみ袋に生ごみを入れて送風手段により送風してやれば、歳差運動により生ごみは攪拌されつつまんべんなく乾燥される。
【０００９】
そして終了後は生ごみ袋をそのまま廃棄し、容器も汚れないので手間を省くことができる。
【００１０】
このように、本件発明によって生ごみの減量化が可能な上、作業が大幅に低減され、周囲や作業者の手を汚すこともない。
【００１１】
【発明実施の形態】
上記目的を達成するために本発明は、可撓性を有する生ごみ袋を収納する生ごみ乾燥部と前記生ごみ袋の内部に送風する送風手段と前記生ごみ乾燥部及び生ごみ袋の袋口を開閉する開閉部とを具備し、前記生ごみ袋は歳差運動をする支持板上に支持させた構成となっている。
【００１２】
これによって、ごみ袋に生ごみを入れて送風手段により送風してやれば、歳差運動により生ごみは攪拌されつつまんべんなく乾燥される。そして終了後は生ごみ袋をそのまま廃棄できる。
【００１３】
また、支持板は、回転軸に対し傾斜角を設け非直交状態で取り付けて歳差運動を起こすようになっている。
【００１４】
また、生ごみ袋の滑りを促進する為の表面処理を支持板に施し、生ごみ袋と支持板の間で摩擦が生じることで生ごみ袋が破れないようになっている。
【００１５】
また、支持板の上面に凹凸を設け、撹拌作用を活発化させることで乾燥性能を向上させることができる。
【００１６】
また、可撓性を有する生ごみ袋を収納する生ごみ乾燥部と、前記生ごみ袋の内部に送風する送風手段と、前記生ごみ乾燥部および生ごみ袋の袋口を開閉する開閉部とを具備し、前記生ごみ袋はポンプ手段を介して空気が出し入れされて伸縮運動を行う蛇腹で支持した構成も考えられる。
【００１７】
そして、この構成では蛇腹の伸縮運動で生ごみ袋内部の生ごみが攪拌されることとなる。
【００１８】
また、前記生ごみ乾燥処理機は生ごみ乾燥部に掛止部材を介して生ごみ袋の袋口を着脱自在に取り付けることで生ごみを移し替える手間を省くことができる。
【００１９】
また、掛止部材が変位自在に構成されており、よって撹拌作用にも柔軟に対応することができる。
【００２０】
また、掛止部材は弾性体で保持したり、掛止部材自体を弾性材で形成することも考えられる。
【００２１】
さらに、送風手段の送風経路に加熱ヒータを設置した。さらに、生ごみ袋内を中心から外周へ空気を流動させるようにした。
【００２２】
【実施例】
以下本発明の実施例について図面を参照して説明する。
【００２３】
（実施例１）
図１において、生ごみ乾燥処理機の本体１には、上方が開放された容器状の生ごみ乾燥部２が設けてある。３は紙、合成樹脂などの可撓性材料から作られた生ごみ袋で、上記生ごみ乾燥部２に着脱自在に収納されるものであって、その袋口４が掛止部材５を介して上記生ごみ乾燥部２の上方に支持されている。上記本体１の上方には開閉自在なる蓋６が設けてある。そしてこの蓋６には加熱送風手段７が配置してある。上記加熱送風手段７は、生ごみ乾燥部２（生ごみ袋３内部空間）への送風路８と、送風路８の途中に位置させた送風機９および加熱ヒータ１０とから構成されている。上記送風路８における生ごみ乾燥部２、すなわち生ごみ袋３の内部空間に加熱ヒータ１０で加熱された空気を送給する送風口１１は、生ごみ乾燥部２の上方開放部中心に臨んで位置させてある。
【００２４】
また、生ごみ乾燥部２、すなわち生ごみ袋３からの多湿空気は排気口１２から出ていき、一部が送風機９に戻るようにしてあり、残りは排気ファン１３を介して脱臭器１４を通り外部に排出されるようにしてある。なお、上記外部排気の量に対応した外部新鮮空気が吸気口１１ａを介して送風路８には導入されることは今更いうまでもないであろう。
【００２５】
ところで、上記生ごみ袋３の底部分は支持板１５で支持されている。そして上記支持板１５は水平から所定角度傾斜した状態で垂直方向の回転軸１６に固定されている。すなわち、支持板１５は回転軸１６に対して非直交状態で固定されているために、上記回転軸１６が回転すると歳差運動を行い、生ごみ袋３を上下に揺らすこととなる。回転軸１６はクラッチ１７を介してモータ１８の出力軸１９に連係されている。
【００２６】
上記構成において、生ごみの入った生ごみ袋３の袋口４を掛止部材５を介して支持させる。そして、蓋６を閉じ、電源を入れて運転を開始すると、加熱送風手段７を構成する送風路８の途中に位置させた送風機９および加熱ヒータ１０によって加熱された空気が送風口１１より生ごみ乾燥部２、すなわち、生ごみ袋３内部空間の中心へ送風され、生ごみの乾燥に供されるものである。
【００２７】
また、生ごみ袋３からの多湿空気は排気口１２から出ていき、一部が送風機９に戻り、残りが排気ファン１３を介して脱臭器１４を通り外部に排出される。
【００２８】
上記生ごみ乾燥時において、生ごみ袋３の底部分を支持している支持板１５が歳差運動を行い、同生ごみ袋３を上下に揺らす。この作用によって生ごみ袋３内の生ごみは撹拌され、乾燥用空気とまんべんなく接触することとなる。したがって、上記生ごみは効率よく乾燥されるものである。
【００２９】
また、この際に生ごみの入った生ごみ袋３の袋口４は、変位自在な掛止部材５を介して支持されているので、支持板１５によって生ごみ袋３が上下動することに柔軟に対応することができる。
【００３０】
（実施例２）
図２は、軸１６に対して非直交状態に取付けた支持板１５の上面に凹凸部２０を設けたものである。
【００３１】
上記構成において支持板１５の歳差運動以外に凹凸部２０による上下運動も加わることによって、生ごみ袋３内の生ごみの撹拌性能が向上する。
【００３２】
（実施例３）
図３は、生ごみ袋３の袋口を支持する掛止部材５を変位自在としたものである。すなわち、掛止部材５をバネなどの弾性体２１で保持するようにした。
【００３３】
上記構成において、生ごみ袋３の袋口が多少小さくても掛止部材５を引き伸ばすことができるので、生ごみ乾燥部２に簡単に固定することができる。さらに、生ごみ袋３が支持板１５により歳差運動する際、前記掛止部材５が変位自在なため、確実にその動きに追従し、これにより高い撹拌性能を得ることができ、生ごみ袋３に入った生ごみの隅々まで確実に乾燥させることができる。
【００３４】
なお、特別に弾性体２１を付加する代わりに掛止部材５自体を弾性材で構成して初期の目的を達成することも考えられる。また、掛止部材５にクリップ２２を設けて生ごみ袋３の袋口が簡単に外れないようにすることも可能である。
【００３５】
（実施例４）
図４は、掛止部材５によって生ごみ袋３を着脱自在に保持するのと同時に本体１の生ごみ乾燥部２も着脱自在としたものである。このように生ごみ乾燥部２も本体１より着脱自在なことから、万が一生ごみ等が生ごみ袋３から漏れた場合でも乾燥部２を取り出すことにより洗浄等が可能な構成となっている。
【００３６】
（実施例５）
図５は、生ごみ乾燥部２底部に伸縮運動をする蛇腹２３を設けた例である。この蛇腹２３は、ポンプ手段２４による空気供給制御に伸縮運動をする構成となっている。生ごみ乾燥部２からの排気口１２は送風口１１の外周部に配置してある。
【００３７】
上記の構成において、ポンプ手段２４による空気供給制御によって蛇腹２３が伸縮運動を行いその上に支持されている生ごみ袋３も上下に攪拌されることとなる。この構成によれば、運転時の清音化が可能となり撹拌の伸縮運動も大きく取れるので撹拌性能を向上させることができる。
【００３８】
また、排気口１２を送風口１１の外周部に配置して、生ごみ袋３中央部から外周へ空気が流れるようにしているところから生ごみ袋３を膨張させる効果もあり、生ごみ袋３の隅々まで空気を送ることができ、より乾燥性能を向上させることができる。
【００３９】
【発明の効果】
以上のように本発明によれば、生ごみを攪拌しつつ風を送るようにしたから、乾燥が速やかに行えるものであり、これより効率的な生ごみ処理ができるものである。
【図面の簡単な説明】
【図１】本発明の実施例１を示す生ごみ乾燥処理機の縦断面図
【図２】本発明の実施例２における生ごみ乾燥処理機の撹拌用指示板の部分斜視図
【図３】本発明の実施例３における生ごみ乾燥処理機の掛止部材の部分縦断面図
【図４】本発明の実施例４における生ごみ乾燥処理機の縦断面図
【図５】本発明の実施例５における生ごみ乾燥処理機の縦断面図
【符号の説明】
１  生ごみ乾燥処理機の本体
２  生ごみ乾燥部
３  生ごみ袋
４  生ごみ袋の袋口
５  掛止部材
６  蓋
７  加熱送風手段
９  送風機
１０  加熱ヒータ
１５  支持板
１６  回転軸
２０  凹凸部
【図１】
2004230323.tif 000003
【図２】
2004230323.tif 000004
【図３】
2004230323.tif 000005
【図４】
2004230323.tif 000006
【図５】
2004230323.tif 000007